(57)【特許請求の範囲】
【請求項１】
略有底筒形の容器の口部に、キャップを着脱自在に取り付けた塗布具において、
容器の口部に、可撓性のガイドカラーを嵌着してその下部には下方に向かうにしたがい徐々に狭まる屈曲テーパ部を形成し、キャップ内に、ガイドカラーとその屈曲テーパ部を貫通して容器内に挿入される軸体を進退動可能に支持させてその自由先端部には塗布部を設け、キャップの内周面から軸体の脱落を規制するフランジを内方向に突出させ、キャップ内と軸体との間には、軸体をその長手方向に押しやる付勢体を介在させ、
容器の口部にキャップを取り付ける場合には、容器本体のガイドカラーにキャップのフランジを接触係止させ、軸体を後退させてその塗布部を容器の内底に接触可能とし、容器の口部からキャップを取り外す場合には、軸体を進出させてその塗布部を容器の内面に接触可能としたことを特徴とする塗布具。
【請求項２】
軸体の末端部に拡幅部を形成してキャップのフランジに引っかかるようにし、対向するキャップの天井と軸体の拡幅部との間にスプリングを介在させた請求項１記載の塗布具。
【請求項３】
軸体の末端部に拡幅部を形成してキャップのフランジに引っかかるようにし、対向するキャップの天井と軸体の拡幅部とに、磁石をそれぞれ取り付けてこれら一対の磁石の間に反発力が作用するようにした請求項１記載の塗布具。
【発明の詳細な説明】
【０００１】
【発明の属する技術分野】
本発明は、マスカラや修正液等を収容する塗布具の改良に関するものである。
【０００２】
【従来の技術】
従来の化粧用の塗布具は、図示しないが、マスカラを貯える有底円筒形の容器の口部に、キャップが着脱自在に螺合され、このキャップに、容器内に挿入される軸体が固定されてその自由先端部にはマスカラ浸漬用のねじりブラシが取り付けられている。軸体は、キャップの取付部から一定の長さとなるよう、キャップに固定されている。
このような塗布具を化粧に使用する場合には、キャップを回して容器から取り外し、容器のマスカラで濡れたねじりブラシを使用すれば、化粧することができる。
【０００３】
【発明が解決しようとする課題】
従来の塗布具は、以上のようにキャップに軸体が単に固定されているだけなので、容器にマスカラが十分に充填されている間はなんら支障を来さないが、使用に伴いマスカラの量が減少してきた場合には、容器の底部や内周面に僅かに残存するマスカラをねじりブラシに有効に塗ることができないので、マスカラの残存した状態で廃棄処分せざるを得ない。
この点に鑑み、実公平４−３３８０２号公報等は、例えマスカラの量が減少した場合でも、残存するマスカラを最後まで有効に利用することのできる技術を提案している。
【０００４】
しかしながら、係る技術は、残存する僅かなマスカラを最後まで有効に利用することができるとはいうものの、実際には、容器の口部に軸体の挿入深さが規制されるので、キャップを螺締めした場合のねじりブラシの位置よりも下方(奥方向)に軸体を挿入することができない。したがって、実際問題として、最後までマスカラを有効利用することができない。
【０００５】
本発明は、上記に鑑みなされたもので、容器の口部に軸体の挿入深さが規制されるのを抑制防止し、容器に残存する流動体を最後まで利用することのできる塗布具を提供することを目的としている。
【０００６】
【課題を解決するための手段】
本発明においては上記課題を解決するため、略有底筒形の容器の口部に、キャップを着脱自在に取り付けたものにおいて、
容器の口部に、可撓性のガイドカラーを嵌着してその下部には下方に向かうにしたがい徐々に狭まる屈曲テーパ部を形成し、キャップ内に、ガイドカラーとその屈曲テーパ部を貫通して容器内に挿入される軸体を進退動可能に支持させてその自由先端部には塗布部を設け、キャップの内周面から軸体の脱落を規制するフランジを内方向に突出させ、キャップ内と軸体との間には、軸体をその長手方向に押しやる付勢体を介在させ、
容器の口部にキャップを取り付ける場合には、容器本体のガイドカラーにキャップのフランジを接触係止させ、軸体を後退させてその塗布部を容器の内底に接触可能とし、容器の口部からキャップを取り外す場合には、軸体を進出させてその塗布部を容器の内面に接触可能としたことを特徴としている。
【０００７】
なお、軸体の末端部に拡幅部を形成してキャップのフランジに引っかかるようにし、対向するキャップの天井と軸体の拡幅部との間にスプリングを介在させることができる。
また、軸体の末端部に拡幅部を形成してキャップのフランジに引っかかるようにし、対向するキャップの天井と軸体の拡幅部とに、磁石をそれぞれ取り付けてこれら一対の磁石の間に反発力が作用するようにすることもできる。
【０００８】
ここで、特許請求の範囲における容器は、透明、半透明、不透明で有底の円筒形、楕円形、多角形等に構成することができる。この容器には、少なくともマスカラ、ネイル、アイシャドウ、修正液、塗料等の流動体が充填される。また、軸体は中空でも良いし、中実でも良い。この軸体の塗布部としては、ねじりブラシ・スポンジ・静電植毛した塗布部等とすることができ、又硬くても柔らかくても良い。付勢体としては、各種のバネ部材や同極の磁石等があげられる。さらに、塗布具は、化粧用品の他、筆記具等でも良い。
【０００９】
本発明によれば、流動体を貯えた容器の口部にキャップを取り付ける場合には容器内に軸体を挿入してキャップを取り付ければ良い。こうすれば、容器の底部に塗布部が接触して軸体をキャップの天井方向に後退させ、付勢体が軸体の塗布部を容器の底部に押しやる。キャップのフランジは、容器の口元又は口元のガイドカラーに密着し、シールする。
これとは逆に、塗布具を使用する場合には、キャップを容器から取り外し、容器内の流動体で濡れた塗布部を使用すれば良い。この際、付勢体により軸体が進出して塗布部を容器の内面に接触させる。
【００１０】
【発明の実施の形態】
以下、図面を参照して本発明の好ましい実施形態を説明すると、本実施形態における塗布具は、図１ないし図３に示すように、流動性のマスカラ(図示せず)を貯える容器１の口部２に着脱自在のキャップ１０を螺合し、このキャップ１０内に軸体２０を進退動可能に嵌入支持させるようにしている。
【００１１】
容器１は、所定の樹脂や金属等を使用して有底円筒形に形成され、その細長い縮径の開口上端部が口部２を形成する。この容器１を形成する所定の樹脂としては、例えば耐衝撃性や力学的特質等に優れるＡＢＳ樹脂、ＰＰ樹脂、ＰＳ樹脂、ＰＥ樹脂、再生プラスチック、ＥＶＯＨ、ＰＥＴ、ナイロン、ＰＢＴ、ＰＡ、ＰＯＭ等があげられる。容器１の口部２には、軸体２０に貫通される可撓性のガイドカラー３が嵌着され、このガイドカラー下方の徐々に狭まる屈曲テーパ部が軸体２０を位置決めしたり、案内するよう機能する。また、容器１の口部外周面には雌螺子が螺刻されており、この雌螺子がキャップ１０と螺合する。
【００１２】
キャップ１０は、円筒形の筒体１１と、この筒体１１に上方から嵌着される断面略逆Ｕ字形の蓋体１５とから構成される。これら筒体１１と蓋体１５とは、上記材料を使用して構成される。筒体１１は、容器１の雌螺子と螺合する雄螺子を内周面に備えた拡径部１２と、この拡径部１２から連続的に上方に伸びる縮径部１３とから構成され、これら拡径部１２と縮径部１３の境界付近における内周面からは抜け止め用のフランジ１４が半径内方向に突出しており、このリング形のフランジ１４にガイドカラー３の開口上端部や蓋体１５の開口下端部が接触係止する(図１参照)とともに、この接触によりシール性が確保される。
【００１３】
軸体２０は、上記樹脂材料を使用して容器１の全長よりも長く形成され、ガイドカラー３を上方からスライド可能に貫通して容器１内に隙間を介して挿入される。この軸体２０は、その自由先端部にマスカラ浸漬用のねじりブラシ２１が装着され、末端部が断面略Ｕ字形の拡幅部２２に形成されており、この蓋体１５の内周面に摺接する拡幅部２２の底部付近がキャップ１０のフランジ１４に係止して脱落が有効に規制される(図３参照)。相対向する軸体２０の拡幅部２２内とキャップ１０の天井(蓋体１５の天井でもある)との間には、付勢体であるコイル形のスプリング２３が介在され、このスプリング２３が軸体２０をその長手方向、換言すれば、反キャップ方向や図１の下方向に弾圧付勢する(図２、図３の矢印参照)。
【００１４】
上記構成において、容器１の口部２にキャップ１０を取り付ける場合には図１に示すように、容器１内に軸体２０を挿入してキャップ１０を螺締めすれば良い。こうすれば、容器１の内底にねじりブラシ２１の先端部が圧接して軸体２０を後退(上昇)させるとともに、弾性体であるスプリング２３を圧縮させ、このスプリング２３が軸体２０のねじりブラシ２１を容器１の内底に絶えず弾圧付勢する。
【００１５】
これに対し、塗布具を化粧に使用する場合には、先ず、図２に示すように、キャップ１０を回して緩めれば良い。この際、圧縮されていたスプリング２３の復元力により、後退していた軸体２０が進出(下降)してねじりブラシ２１を容器１の内底に接触させる。こうしてキャップ１０を緩めたら、さらにキャップ１０を回して容器１から完全に取り外し(図３参照)、容器１のマスカラで濡れたねじりブラシ２１を使用すれば、化粧することができる。この際、スプリング２３の復元力により軸体２０がさらに進出してねじりブラシ２１を容器１の内底、内周面、又は隅部に接触させる。
【００１６】
上記構成によれば、使用に伴いマスカラの量が減少してきた場合でも、容器１の底部や内周面に僅かに残存するマスカラをねじりブラシ２１に有効に塗布することができる。したがって、マスカラの残存した状態で塗布具を廃棄処分しなくても良く、マスカラを最後まで完全に利用し、使い勝手を著しく向上させることができる。また、軸体２０の長さを規制するフランジ１４をキャップ１０内に形成したので、容器１の口部２に軸体２０の挿入深さがなんら規制されることがなく、キャップ１０を螺締めした場合のねじりブラシ２１の位置よりも下方に軸体２０を挿入することができる。したがって、実際問題としても、最後までマスカラを有効利用することが可能になる。
【００１７】
次に、図４は本発明の第２の実施形態を示すもので、この場合には、キャップ１０の拡径部１２と縮径部１３の境界付近における内周面から抜け止め用のフランジ１４を半径内方向に突出させ、軸体２０の末端部を断面略Ｕ字形の拡幅部２２に形成してフランジ１４に係止可能とし、対向するキャップ１０の天井と軸体２０の拡幅部２２とに、付勢体である永久磁石２４をそれぞれ配設してこれら一対の永久磁石２４の厚み方向における同極を対向させ(例えば、Ｎ極とＮ極、あるいはＳ極とＳ極)、これら一対の永久磁石２４の反発力(斥力)により、軸体２０を進退動させるようにしている。
【００１８】
永久磁石２４は、必要に応じ、断面略板形やブロック形等に形成され、厚さ方向にＮ極とＳ極とが着磁されており、斥力が働くよう取り付けられる。その他の部分については、上記実施形態と略同様であるので説明を省略する。
本実施形態においても、上記実施形態と同様の作用効果が期待できるのは明らかである。また、永久磁石２４を用いるので、圧縮疲労するスプリング２３を使用する場合に比べ、長期に亘って塗布具を使用することができる。
【００１９】
次に、図５は本発明の第３の実施形態を示すもので、この場合には、ねじりブラシ２１の代わりにネイル用の塗布部２５を軸体２０の自由先端部に装着するようにしている。その他の部分については、上記実施形態と略同様であるので説明を省略する。
本実施形態においても、上記実施形態と同様の作用効果が期待できるのは明らかである。
【００２０】
なお、上記実施形態では容器１の口部２にキャップ１０を着脱自在に螺嵌したが、なんらこれに限定されるものではない。例えば、容器１の口部２にキャップ１０を着脱自在にきつく密嵌する構成でも良い。また、スプリング２３を嵌め備える中空の拡幅部２２は、有底円筒形でも良いし、有底多角筒形等でも良い。
【００２１】
【発明の効果】
以上のように本発明によれば、容器の口部に軸体の差し入れ深さが制限されるのを抑制あるいは防止し、容器内に残る流動体を略最後まで利用することができるという効果がある。また、ガイドカラー下方の徐々に狭まる屈曲テーパ部により、軸体を位置決めしたり、案内することができる。また、フランジにガイドカラーの開口上端部を接触係止させれば、シール性を確保することができる。さらに、軸体の長さを規制するフランジをキャップ内に形成したので、容器の口部に軸体の挿入深さが規制されることがなく、キャップを取り付けた場合の塗布部の位置よりも下方に軸体を挿入することが可能になる。
【図面の簡単な説明】
【図１】本発明に係る塗布具の実施形態における容器の口部にキャップを取り付けた状態を示す断面説明図である。
【図２】図１のキャップを緩めた状態を示す断面説明図である。
【図３】図２のキャップを取り外した状態を示す断面説明図である。
【図４】本発明に係る塗布具の第２の実施形態を示す断面説明図である。
【図５】本発明に係る塗布具の第３の実施形態を示す断面説明図である。
【符号の説明】
１          容器
２          口部
１０        キャップ
１４        フランジ
２０        軸体
２１        ねじりブラシ(塗布部)
２２        拡幅部
２３        スプリング(付勢体)
２４        永久磁石(付勢体、磁石)
２５        ネイル用の塗布部(塗布部)
【図１】
0004179786.tif 000002
【図２】
0004179786.tif 000003
【図３】
0004179786.tif 000004
【図４】
0004179786.tif 000005
【図５】
0004179786.tif 000006